(57)【要約】      （修正有）【課題】小学校の児童に対して、英語教育をする為の教材に関するものであり、英語教育に適する遊びに使用可能であり、かついろいろな使用方法が可能であって適用範囲が広い道具を考案し、これを一まとめにして配付が容易な英語教材を提供する。【解決手段】英語教材１は、色鉛筆セットと、２個のサイコロ１１と、複数のおはじき１３と、三枚の小袋１５，１６，１７と、丸バツ表示プラカード１８が透明な樹脂ケース８に同包されたものである。【選択図】図１
0003186921.tif 000002
【実用新案登録請求の範囲】
【請求項１】
次の複数の器具から選ばれる少なくとも５種類の器具が一つの入れ物に同包されたことを特徴とする英語教材。
ａ：複数の色を塗ることができる着色用具セット
ｂ：サイコロ
ｃ：おはじき
ｄ：駒
ｅ：複数の袋
ｆ：イエスかノーかの意思表示を行う表示具
【請求項２】
入れ物は開閉可能であり、かつ透明な袋物であることを特徴とする請求項１に記載の英語教材。
【請求項３】
イエスかノーかの意思表示を行う表示具は、一方の面にイエスを連想させる文字又は記号が付され、他方の面にノーを連想させる文字又は記号が付されたプラカードであることを特徴とする請求項１又は２に記載の英語教材。
【請求項４】
少なくとも前記「複数の袋」を含み、当該「複数の袋」は、空の袋であることを特徴とする請求項１乃至３のいずれかに記載の英語教材。
【請求項５】
少なくとも前記「複数の袋」を含み、当該「複数の袋」は、開閉することができることを特徴とする請求項１乃至４のいずれかに記載の英語教材。
【請求項６】
少なくとも前記「複数の袋」を含み、「複数の袋」は小袋であり、「複数の袋」には他の小袋よりも大きいものが含まれていることを特徴とする請求項１乃至５のいずれかに記載の英語教材。
【請求項７】
少なくとも前記「複数の色を塗ることができる着色用具セット」を含み、当該「複数の色を塗ることができる着色用具セット」は、色鉛筆セット、フェルトペンセット、ボールペンセット、カリグラフィペンセット、絵の具セット、クレヨンセット、コンテセットのいずれかであることを特徴とする請求項１乃至６のいずれかに記載の英語教材。
【請求項８】
少なくとも前記「サイコロ」を含み、当該「サイコロ」は、正８面体、正１２面体に比べて極めて面数の多い多面体であることを特徴とする請求項１乃至７のいずれかに記載の英語教材。
【請求項９】
色鉛筆セットと、サイコロと、複数のおはじきと、空の小袋と、丸バツ表示プラカード１が透明な袋物の樹脂ケースに同包されたものであることを特徴とする請求項１乃至８のいずれかに記載の英語教材。
【請求項１０】
少なくとも前記「駒」を含み、当該「駒」には、個々を区別する記号が付されていることを特徴とする請求項１乃至９のいずれかに記載の英語教材。
【請求項１１】
次の複数の器具が、開閉可能でありかつ透明な一つの袋物に同包されたことを特徴とする英語教材。
ａ：複数の色を塗ることができる色鉛筆セット又はクレヨンセット
ｂ：サイコロ
ｃ：おはじき
ｅ：複数の空の小袋であって、開閉可能な小袋
ｆ：イエスかノーかの意思表示を行う表示具であって、一方の面にイエスを連想させる文字又は記号が付され、他方の面にノーを連想させる文字又は記号が付されたプラカード
【考案の詳細な説明】
【技術分野】
【０００１】
本考案は、小学校の児童に対して英語教育を行う際の教材に関するものである。
【背景技術】
【０００２】
わが国は、輸出を中心とする産業構造を持ち、外国で活動できる人材が求められている。またわが国は、経済大国であり、政治的にも相応の人的負担が求められている。そこでわが国の将来を担う若人は、英語でコミュニケーションができる能力を身につけておかなければならない。
しかしながら、英語の学習は、労多くして実りの少ないのが現実である。特に学習を開始する年齢が高い場合には、思うように学習効果があがらない。
【０００３】
そこで小学生の内から英語の学習を始めるべきであるとの意見がある。
文部科学省も非特許文献１に掲げる様な英語教材を作成すると共に、小学校の児童に無料配付し、小学生に対して英語の啓蒙活動を行っている。
【先行技術文献】
【非特許文献】
【０００４】
【非特許文献１】発行日：平成２１年４月１０日、名称：英語ノート１、著作権所有：文部科学省、発行所：教育出版株式会社
【考案の概要】
【考案が解決しようとする課題】
【０００５】
しかしながら小学生の児童は、学習意欲が低く、教科書を使用した座学中心の英語授業では、授業時間中、じっと黙って座っていることすらできない。
そこで小学生に対する英語講義は、遊びを交えた授業を行うのが有効である。しかしその一方で、小学校の校区は、地域特性が強く、父母の学習意欲の強い地域や弱い地域といった父母の教育意識の相違、住宅地域や商業地域や農業地域や工業地域や漁業地域といった父母の職業層の相違、過疎地や新興住宅地といった周囲の大人の年齢層や子供の数の相違等によって、児童の興味や遊び方が異なり、全国の校区に普遍的に適用でき且つ英語教育に適する遊びは限られる。そのため、英語教育を目指す小学校の教員は、自分が担任する学級の児童の特性に合致し、且つ英語教育に適する遊びを研究し、実践することとなる。またその遊びに適合する器具も考案し、製作する。さらに生徒にも当該器具を配付する必要がある。
【０００６】
しかしながら、教員は多忙であり、英語教育に使用する器具を児童の数だけ製作し、各児童に配付することは時間的制約から困難である。
そこで本考案は、英語教育に適する遊びに使用可能であり、かついろいろな使用方法が可能であって適用範囲が広い器具を考案し、これを一まとめにして配付が容易な英語教材の開発を課題とする。
【課題を解決するための手段】
【０００７】
上記した課題を解決するための請求項１に記載の考案は、次の複数の器具から選ばれる少なくとも５種類の器具が一つの入れ物に同包されたことを特徴とする英語教材である。
ａ：複数の色を塗ることができる着色用具セット
ｂ：サイコロ
ｃ：おはじき
ｄ：駒
ｅ：複数の袋
ｆ：イエスかノーかの意思表示を行う表示具
【０００８】
ここで「複数の色を塗ることができる着色用具セット」は、イエローとかレッドといった色の英単語を教育することができる。また塗り絵や絵画を描き、その情景や絵の内容、表現したかった事項を英語で話す訓練に利用することができる。
ここで「複数の色を塗ることができる着色用具セット」とは、色鉛筆セット、フェルトペンセット、ボールペンセット、カリグラフィペンセット、絵の具セット、クレヨンセット、コンテセット等である。特に、色鉛筆セットまたはクレヨンセットは、溶剤や筆等の他の器具を要さずに絵画を描くことができるので推奨される。
【０００９】
「サイコロ」はすごろく遊びや人を指名する際の器具として使用する。例えば、すごろくのますに「英語の歌を歌う」とか、「英語で動物の鳴きまねをする」とかの罰ゲームを書いておく。そしてそのますに駒が止まったら、当該ますに書かれた行動を行う。
また他に、サイコロの目と児童とを対応させ、サイコロをふったときに出た目に対応する人は、英語の挨拶やジェスチャー等を行う。例えば、１の目は藤田君、２の目は平野君、３の目は大南君、４の目は井上さんという様に対応を付けておき、１の目が出ると、藤田君が英語で小話を披露する。
サイコロの形状は、正６面体に限定されるものではなく、正８面体、正１２面体の様な他の正多面体であってもよい。さらには正多面体以外の多面体であってもよい。例えば、児童数に合わせて４０面体等の極めて面数の多い多面体であってもよい。
【００１０】
「おはじき」は、おはじき遊びをしてその中で英語学習をする用途に利用する。例えば、地面に数個のますを描き、その中に英語で行う行為を書いておく。例えば「英語で豚のまねをする」とか、「英国人のまねをする」とか、「映画俳優のまねをしながら牛乳を飲む」といったばかばかしい罰ゲームを描いておく。そして競技者は、他の競技者を指名して、おはじきを弾く、おはじきがいずれかのますに入ったら指名された人がその罰ゲームを行う。ますに入らなかった場合は、競技者自身がその罰ゲームを行う。
また「おはじき」をすごろくの駒として使用してもよい。
【００１１】
「駒」は、すごろくに使用する他、おはじきの代わりとして使用してもよい。
【００１２】
英語学習では、単語カードや、絵のカードを使用する場合が多い。またカードはなくしてしまうことが多いので、「複数の袋」に入れておくと便利である。
【００１３】
「イエスかノーかの意思表示を行う表示具」は、クイズを通して英語学習を行う場合に使用する。例えば、大勢の児童の前で、教師が「ライト」と発音し、この発音が、「右」を表すのか、「光」を表すのかを問う。児童は、表示具を示して正誤を答える。
【００１４】
請求項２に記載の考案は、入れ物は開閉可能であり、かつ透明な袋物であることを特徴とする請求項１に記載の英語教材である。
【００１５】
開閉可能にする構成としては、例えばファスナーや面ファスナー、フックやホック等の採用が考えられる。
本考案によると、中の器具の出し入れが可能であり、且つ中の器具落とすことが防がれる。また入れ物が透明であるから、収納物を外から確認することができる。
【００１６】
請求項３に記載の考案は、イエスかノーかの意思表示を行う表示具は、一方の面にイエスを連想させる文字又は記号が付され、他方の面にノーを連想させる文字又は記号が付されたプラカードであることを特徴とする請求項１又は２に記載の英語教材である。
【００１７】
本考案では、イエスかノーかの意思表示を行う表示具がプラカードであるから、児童が提示した内容を教師が確認しやすい。
【００１８】
請求項４に記載の考案は、少なくとも前記「複数の袋」を含み、当該「複数の袋」は、空の袋であることを特徴とする請求項１乃至３のいずれかに記載の英語教材である。
【００１９】
請求項５に記載の考案は、少なくとも前記「複数の袋」を含み、当該「複数の袋」は、開閉することができることを特徴とする請求項１乃至４のいずれかに記載の英語教材である。
【００２０】
請求項６に記載の考案は、少なくとも前記「複数の袋」を含み、「複数の袋」は小袋であり、「複数の袋」には他の小袋よりも大きいものが含まれていることを特徴とする請求項１乃至５のいずれかに記載の英語教材である。
【００２１】
請求項７に記載の考案は、少なくとも前記「複数の色を塗ることができる着色用具セット」を含み、当該「複数の色を塗ることができる着色用具セット」は、色鉛筆セット、フェルトペンセット、ボールペンセット、カリグラフィペンセット、絵の具セット、クレヨンセット、コンテセットのいずれかであることを特徴とする請求項１乃至６のいずれかに記載の英語教材である。
【００２２】
請求項８に記載の考案は、少なくとも前記「サイコロ」を含み、当該「サイコロ」は、正８面体、正１２面体に比べて極めて面数の多い多面体であることを特徴とする請求項１乃至７のいずれかに記載の英語教材である。
【００２３】
請求項９に記載の考案は、色鉛筆セットと、サイコロと、複数のおはじきと、空の小袋と、丸バツ表示プラカード１が透明な袋物の樹脂ケースに同包されたものであることを特徴とする請求項１乃至８のいずれかに記載の英語教材である。
【００２４】
請求項１０に記載の考案は、少なくとも前記「駒」を含み、当該「駒」には、個々を区別する記号が付されていることを特徴とする請求項１乃至９のいずれかに記載の英語教材である。
【００２５】
請求項１１に記載の考案は、次の複数の器具が、開閉可能でありかつ透明な一つの袋物に同包されたことを特徴とする英語教材である。
ａ：複数の色を塗ることができる色鉛筆セット又はクレヨンセット
ｂ：サイコロ
ｃ：おはじき
ｅ：複数の空の小袋であって、開閉可能な小袋
ｆ：イエスかノーかの意思表示を行う表示具であって、一方の面にイエスを連想させる文字又は記号が付され、他方の面にノーを連想させる文字又は記号が付されたプラカード
【考案の効果】
【００２６】
本考案によると、児童生徒に対して効率的に英語教育を行うことができる。また本考案を利用して英語教育を受けると、英語の習熟速度が早く、短期のうちに英語が上達する。
【図面の簡単な説明】
【００２７】
【図１】本考案の実施形態の英語教材の正面図である。
【図２】（ａ）は本考案の実施形態の英語教材に内蔵される色鉛筆セットの斜視図であり、（ｂ）はその箱を閉じた状態における正面図である。
【図３】（ａ）は本考案の実施形態の英語教材に内蔵されるサイコロの斜視図であり、（ｂ）は当該サイコロを袋に入れた状態における正面図である。
【図４】（ａ）は本考案の実施形態の英語教材に内蔵されるおはじきの斜視図であり、（ｂ）は当該おはじきを袋に入れた状態における正面図である。
【図５】本考案の実施形態の英語教材に内蔵される複数の袋の正面図である。
【図６】本考案の実施形態の英語教材に内蔵されるプラカードの正面図（ａ）及び裏面図（ｂ）である。
【図７】（ａ）は駒の斜視図であり、（ｂ）は当該駒を袋に入れた状態における正面図である。
【図８】「イエスかノーかの意思表示を行う表示具」の変形例を示すプラカードの正面図（ａ）及び裏面図（ｂ）である。
【図９】「イエスかノーかの意思表示を行う表示具」の変形例を示す表示板の正面図（ａ）及び裏面図（ｂ）である。
【考案を実施するための形態】
【００２８】
以下さらに本考案の実施形態について説明する。
本考案の実施形態の英語教材１は、色鉛筆セット１０と、サイコロ１１が２個と、複数のおはじき１３と、三枚の小袋１５，１６，１７と、丸バツ表示プラカード１８が透明な樹脂ケース８に同包されたものである。
【００２９】
ここで樹脂ケース８は、ビニール等の軟質かつ透明な樹脂板を二枚重ね、その３辺２，３，４を熱融着し、残る一辺にファスナー５を装着したものである。樹脂ケース８はファスナー５が取り付けられた辺を開閉可能である。
【００３０】
色鉛筆セット１０は、「クーピーペンシル」（株式会社サクラクレパスの登録商標）と称されるものであり、色鉛筆の芯材だけで作られたものであり、通常の鉛筆の木の部分はない。本実施形態で採用する色鉛筆セットは、パス又はコンテに近いものであり、通常の色鉛筆の様に削る必要がない。
【００３１】
サイコロ１１は、通常のサイコロと同一のものであり、正六面体の各面に、１個から６個までの点を付したものである
本実施形態では、２個のサイコロ１１は、小袋２０に入れられている。小袋２０はビニールで作られた袋であり、一辺にファスナー２１が取り付けられている。従って小袋２０はファスナー２１を利用して開閉することができる。
【００３２】
おはじき１３は、公知のおはじきであり、ガラスまたは樹脂で作られており、図４の様に小円板の様な形状をしている。
おはじき１３は、小袋２２に入れられている。小袋２２はビニールで作られた袋であり、一辺にファスナー２３が取り付けられている。従って小袋２２はファスナー２３を利用して開閉することができる。
【００３３】
小袋１５，１６，１７は、いずれもビニールで作られた袋であり、一辺にファスナー３０，３１．３２が取り付けられている。従って小袋１５，１６，１７はファスナー３０，３１．３２を利用して開閉することができる。
小袋１５，１６，１７の内、小袋１５，１６は、前記したサイコロ１１を入れた小袋２０及びおはじき１３を入れた小袋２３と同じ大きさである。これに対して小袋１７は、他の小袋よりも大きい。
【００３４】
丸バツ表示プラカード１８は、「イエスかノーかの意思表示を行う表示具」として選定されたものである。丸バツ表示プラカード１８は、ボール紙で作られており、表示部３３と、手持ち部３５を有している。
表示部３３は、手持ち部３５の先端側にあって、手持ち部３５よりも面積が大きく、本実施形態では、手を模した形をしている。
そして表示部３３の表面には、「イエス」を印象させる形状としてのマルが描かれ、裏面には、「ノー」を印象させる形状としてのバツが描かれている。
【００３５】
本実施形態の英語教材は、教育を受ける全ての児童に配付されることが望ましい。
【００３６】
以上説明した実施形態では、おはじき１３をケース８に同包したが、おはじき１３に代わって図７の様な駒４０を同包してもよい。駒４０には、個々を区別する記号が付されている。記号には、例えばＡ，Ｂ，Ｃといったアルファベットの他、い、ろ、はという様な日本文字、さらに、王、金、銀といった将棋にちなんだもの、大将、中将や、部長、課長といった階級にちなんだもの、野球選手や芸能人等の人名にちなんだもの等が考えられる。
【００３７】
また本実施形態では、「イエスかノーかの意思表示を行う表示具」の例として丸バツ表示プラカード１８をケース８に同包したが、図８に示すプラカード４１の様に「イエス」「ノー」を直接表示するものであってもよい。またプラカードの形態を有することは必須ではなく、図９の表示器具４３の様な単なる表示板であってもよい。
図９に示す表示器具４３では、「イエス」を印象させる形状としての亀が歩く姿を表示し、「ノー」を印象させる形状として亀が裏返った姿を表示している。
【産業上の利用可能性】
【００３８】
本考案は、英語教材を製造するという点で産業上の利用可能性がある。
【符号の説明】
【００３９】
１    英語教材
５    ファスナー
８    樹脂ケース
１０  色鉛筆セット
１１  サイコロ
１３  おはじき
１５，１６，１７  小袋
１８  丸バツ表示プラカード
４０  駒
【図１】
0003186921.tif 000003
【図２】
0003186921.tif 000004
【図３】
0003186921.tif 000005
【図４】
0003186921.tif 000006
【図５】
0003186921.tif 000007
【図６】
0003186921.tif 000008
【図７】
0003186921.tif 000009
【図８】
0003186921.tif 000010
【図９】
0003186921.tif 000011